(57)【特許請求の範囲】
【請求項１】
多機能出入力Ｉ／Ｏインターフェースが接続線を介してスレーブ機器の多機能Ｉ／Ｏインターフェースに接続されているマスタ機器に用いられる充電方法であって、
設定信号を受信し、前記設定信号に基づいて充電方向を特定するステップと、
前記充電方向が第１の充電方向であるとき、前記マスタ機器から前記スレーブ機器へ充電することを充電操作として特定するステップと、
前記充電方向が第２の充電方向であるとき、前記スレーブ機器から前記マスタ機器へ充電することを前記充電操作として特定するステップと、
前記充電操作に応じて、対応する充電指令を前記マスタ機器の電源管理チップと前記スレーブ機器の電源管理チップへ送信するステップと、を含み、
前記設定信号を受信し、前記設定信号に基づいて充電方向を特定するステップは、
電力量制御プログレスバーによって、前記マスタ機器の初期余剰電力量と前記スレーブ機器の初期余剰電力量との和である総余剰電力量に対して前記マスタ機器の初期余剰電力量及び前記スレーブ機器の初期余剰電力量がそれぞれ占めるパーセントを含む初期電力量情報を表示するステップと、
前記電力量制御プログレスバーに対するスライド操作を受け付けるステップと、
前記スライド操作に応じて、前記マスタ機器の目標余剰電力量及び前記スレーブ機器の目標余剰電力量がそれぞれ前記総余剰電力量に占めるパーセントを含む目標電力量情報を特定するステップと、
前記初期電力量情報および前記目標電力量情報に基づいて、前記充電方向を特定するステップと、を含むことを特徴とする充電方法。
【請求項２】
前記初期電力量情報および前記目標電力量情報に基づいて、前記充電方向を特定するステップは、
前記マスタ機器の目標余剰電力量が前記総余剰電力量に占めるパーセントが、前記マスタ機器の初期余剰電力量が前記総余剰電力量に占めるパーセントよりも小さいとき、もしくは、前記スレーブ機器の目標余剰電力量が前記総余剰電力量に占めるパーセントが、前記スレーブ機器の初期余剰電力量が前記総余剰電力量に占めるパーセントよりも大きいとき、前記充電方向を前記第１の充電方向として特定するステップ、
または、
前記マスタ機器の目標余剰電力量が前記総余剰電力量に占めるパーセントが、前記マスタ機器の初期余剰電力量が前記総余剰電力量に占めるパーセントよりも大きいとき、もしくは、前記スレーブ機器の目標余剰電力量が前記総余剰電力量に占めるパーセントが、前記スレーブ機器の初期余剰電力量が前記総余剰電力量に占めるパーセントよりも小さいとき、前記充電方向を前記第２の充電方向として特定するステップを含むことを特徴とする請求項１に記載の充電方法。
【請求項３】
前記電力量制御プログレスバーによって初期電力量情報を表示するステップは、
前記マスタ機器の初期余剰電力量を取得するステップと、
前記接続線を介した接続によって、前記スレーブ機器に対応する前記スレーブ機器の初期余剰電力量を読み取るステップと、
前記マスタ機器の初期余剰電力量及び前記スレーブ機器の初期余剰電力量がそれぞれ総余剰電力量に占めるパーセントに基づいて、前記マスタ機器の初期余剰電力量に対応するプログレスバー及び前記スレーブ機器の初期余剰電力量に対応するプログレスバーがそれぞれ前記電力量制御プログレスバーに占める長さのパーセントを特定するステップと、を含むことを特徴とする請求項１に記載の充電方法。
【請求項４】
所定の時間間隔おきに、充電期間での前記マスタ機器の電力消費状況を示すための第１の電力量消費情報と、マスタ機器の現在余剰電力量とを取得するステップと、
前記所定の時間間隔おきに、前記接続線を介した接続によって、充電期間での前記スレーブ機器の電力消費状況を示すための第２の電力量消費情報と、スレーブ機器の現在余剰電力量とを前記スレーブ機器から読み取るステップと、
前記マスタ機器の現在余剰電力量、前記スレーブ機器の現在余剰電力量、前記第１の電力量消費情報及び前記第２の電力量消費情報がそれぞれ前記総余剰電力量に占めるパーセントに基づいて、前記電力量制御プログレスバーを更新するステップと、をさらに含むことを特徴とする請求項１〜３の何れかに記載の充電方法。
【請求項５】
前記マスタ機器は、前記電力量制御プログレスバーによって現在電力量情報を表示するとき、異なる色を用いて、前記マスタ機器の現在余剰電力量に対応するプログレスバー、スレーブ機器の現在余剰電力量に対応するプログレスバー、前記第１の電力量消費情報に対応するプログレスバー及び前記第２の電力量消費情報に対応するプログレスバーを標識することを特徴とする請求項４に記載の充電方法。
【請求項６】
マスタ機器の現在余剰電力量が前記マスタ機器の目標余剰電力量に達し、または、スレーブ機器の現在余剰電力量が前記スレーブ機器の目標余剰電力量に達したとき、充電停止指令を前記マスタ機器の電源管理チップと前記スレーブ機器の電源管理チップへ送信するステップをさらに含むことを特徴とする請求項１に記載の充電方法。
【請求項７】
前記接続線がＴｙｐｅ  Ｃ接続線であり、前記Ｔｙｐｅ  Ｃ接続線の両端が何れもＴｙｐｅ  Ｃ端子であり、かつ、前記マスタ機器と前記スレーブ機器の前記多機能Ｉ／Ｏインターフェースが何れもＴｙｐｅ  Ｃインターフェースであることを特徴とする請求項１に記載の充電方法。
【請求項８】
多機能出入力Ｉ／Ｏインターフェースが接続線を介してスレーブ機器の多機能Ｉ／Ｏインターフェースに接続されているマスタ機器に用いられる充電装置であって、
設定信号を受信し、前記設定信号に基づいて充電方向を特定するように構成される受信モジュールと、
前記充電方向が第１の充電方向であるとき、前記マスタ機器から前記スレーブ機器へ充電することを充電操作として特定するように構成される第１の特定モジュールと、
前記充電方向が第２の充電方向であるとき、前記スレーブ機器から前記マスタ機器へ充電することを前記充電操作として特定するように構成される第２の特定モジュールと、
前記充電操作に応じて、対応する充電指令を前記マスタ機器の電源管理チップと前記スレーブ機器の電源管理チップへ送信するように構成される第１の送信モジュールと、を備え、
前記受信モジュールは、
電力量制御プログレスバーによって、前記マスタ機器の初期余剰電力量と前記スレーブ機器の初期余剰電力量との和である総余剰電力量に対して前記マスタ機器の初期余剰電力量及び前記スレーブ機器の初期余剰電力量がそれぞれ占めるパーセントを含む初期電力量情報を表示するように構成される表示サブモジュールと、
前記電力量制御プログレスバーに対するスライド操作を受け付けるように構成される操作受付サブモジュールと、
前記スライド操作に応じて、前記マスタ機器の目標余剰電力量及び前記スレーブ機器の目標余剰電力量がそれぞれ前記総余剰電力量に占めるパーセントを含む目標電力量情報を特定するように構成される第１の特定サブモジュールと、
前記初期電力量情報および前記目標電力量情報に基づいて、前記充電方向を特定するように構成される第２の特定サブモジュールと、を有することを特徴とする充電装置。
【請求項９】
前記第２の特定サブモジュールは、
前記マスタ機器の目標余剰電力量が前記総余剰電力量に占めるパーセントが、前記マスタ機器の初期余剰電力量が前記総余剰電力量に占めるパーセントよりも小さいとき、もしくは、前記スレーブ機器の目標余剰電力量が前記総余剰電力量に占めるパーセントが、前記スレーブ機器の初期余剰電力量が前記総余剰電力量に占めるパーセントよりも大きいとき、前記充電方向を前記第１の充電方向として特定するように構成される第１の方向特定サブモジュール、
または、
前記マスタ機器の目標余剰電力量が前記総余剰電力量に占めるパーセントが、前記マスタ機器の初期余剰電力量が前記総余剰電力量に占めるパーセントよりも大きいとき、もしくは、前記スレーブ機器の目標余剰電力量が前記総余剰電力量に占めるパーセントが、前記スレーブ機器の初期余剰電力量が前記総余剰電力量に占めるパーセントよりも小さいと
き、前記充電方向を前記第２の充電方向として特定するように構成される第２の方向特定サブモジュールを有することを特徴とする請求項８に記載の充電装置。
【請求項１０】
前記表示サブモジュールは、
前記マスタ機器の初期余剰電力量を取得するように構成される取得サブモジュールと、
前記接続線を介した接続によって、前記スレーブ機器に対応する前記スレーブ機器の初期余剰電力量を読み取るように構成される読取サブモジュールと、
前記マスタ機器の初期余剰電力量及び前記スレーブ機器の初期余剰電力量がそれぞれ総余剰電力量に占めるパーセントに基づいて、前記マスタ機器の初期余剰電力量に対応するプログレスバー及び前記スレーブ機器の初期余剰電力量に対応するプログレスバーがそれぞれ前記電力量制御プログレスバーに占める長さのパーセントを特定するように構成される第３の特定サブモジュールと、を有することを特徴とする請求項８に記載の充電装置。
【請求項１１】
所定の時間間隔おきに、充電期間での前記マスタ機器の電力消費状況を示すための第１の電力量消費情報と、マスタ機器の現在余剰電力量とを取得するように構成される取得モジュールと、
前記所定の時間間隔おきに、前記接続線を介した接続によって、充電期間での前記スレーブ機器の電力消費状況を示すための第２の電力量消費情報と、スレーブ機器の現在余剰電力量とを前記スレーブ機器から読み取るように構成される読取モジュールと、
前記マスタ機器の現在余剰電力量、前記スレーブ機器の現在余剰電力量、前記第１の電力量消費情報及び前記第２の電力量消費情報がそれぞれ前記総余剰電力量に占めるパーセントに基づいて、前記電力量制御プログレスバーを更新するように構成される更新モジュールと、をさらに備えることを特徴とする請求項８〜１０の何れかに記載の充電装置。
【請求項１２】
前記マスタ機器は、前記電力量制御プログレスバーによって現在電力量情報を表示するとき、異なる色を用いて、前記マスタ機器の現在余剰電力量に対応するプログレスバー、スレーブ機器の現在余剰電力量に対応するプログレスバー、前記第１の電力量消費情報に対応するプログレスバー及び前記第２の電力量消費情報に対応するプログレスバーを標識することを特徴とする請求項１１に記載の充電装置。
【請求項１３】
マスタ機器の現在余剰電力量が前記マスタ機器の目標余剰電力量に達し、または、スレーブ機器の現在余剰電力量が前記スレーブ機器の目標余剰電力量に達したとき、充電停止指令を前記マスタ機器の電源管理チップと前記スレーブ機器の電源管理チップへ送信するように構成される第２の送信モジュールをさらに備えることを特徴とする請求項８に記載の充電装置。
【請求項１４】
記接続線がＴｙｐｅ  Ｃ接続線であり、前記Ｔｙｐｅ  Ｃ接続線の両端が何れもＴｙｐｅ  Ｃ端子であり、かつ、前記マスタ機器と前記スレーブ機器の前記多機能Ｉ／Ｏインターフェースが何れもＴｙｐｅ  Ｃインターフェースであることを特徴とする請求項８に記載の充電装置。
【請求項１５】
プロセッサと、
前記プロセッサが実行可能な指令を記憶するためのメモリと、を備え、
前記プロセッサは、
設定信号を受信し、前記設定信号に基づいて充電方向を特定し、
前記充電方向が第１の充電方向であるとき、マスタ機器からスレーブ機器へ充電することを充電操作として特定し、
前記充電方向が第２の充電方向であるとき、前記スレーブ機器から前記マスタ機器へ充電することを前記充電操作として特定し、
前記充電操作に応じて、対応する充電指令を前記マスタ機器の電源管理チップと前記スレーブ機器の電源管理チップへ送信するように構成され、
前記設定信号を受信し、前記設定信号に基づいて充電方向を特定することは、
電力量制御プログレスバーによって、前記マスタ機器の初期余剰電力量と前記スレーブ機器の初期余剰電力量との和である総余剰電力量に対して前記マスタ機器の初期余剰電力量及び前記スレーブ機器の初期余剰電力量がそれぞれ占めるパーセントを含む初期電力量情報を表示することと、
前記電力量制御プログレスバーに対するスライド操作を受け付けることと、
前記スライド操作に応じて、前記マスタ機器の目標余剰電力量及び前記スレーブ機器の目標余剰電力量がそれぞれ前記総余剰電力量に占めるパーセントを含む目標電力量情報を特定することと、
前記初期電力量情報および前記目標電力量情報に基づいて、前記充電方向を特定することと、を含むことを特徴とする充電装置。
【請求項１６】
プロセッサに実行されることにより、請求項１から請求項７のいずれか１項に記載の充電方法を実現することを特徴とするプログラム。
【請求項１７】
請求項１６に記載のプログラムが記録された記録媒体。
【発明の詳細な説明】
【相互参照】
【０００１】
本発明は、出願番号が２０１５１０４２８９７０６であり、出願日が２０１５年７月２０日である中国特許出願を基に提出するものであり、当該中国特許出願の優先権を主張し、当該中国特許出願の全ての内容は、参照のため本願に援用される。
【技術分野】
【０００２】
本開示は、スマート機器技術分野に関し、特に、充電方法、装置、プログラム及び記録媒体に関する。
【背景技術】
【０００３】
スマート機器が人々の日常生活にますます重要な役割を果たしているが、内蔵バッテリの容量が小さいため、スマートフォンといったハンディタイプのスマート機器は、持続時間が短いという課題を抱えている。持続時間が短いという課題を解決するために、ユーザは、一般的に移動電源を持っており、スマート機器の電力量が低い場合、スマート機器に対して定額以外の電力量を提供する。しかし、移動電源は一般的に体積が大きいため、ユーザのキャリングに不利である。
【発明の概要】
【課題を解決するための手段】
【０００４】
本開示の実施例は、充電方法、装置、プログラム及び記録媒体を提供する。当該技術案は下記のとおりである。
【０００５】
本開示の実施例の第１の態様によれば、多機能Ｉ／Ｏ（Ｉｎｐｕｔ／Ｏｕｔｐｕｔ、出入力）インターフェースが接続線を介してスレーブ機器の多機能Ｉ／Ｏインターフェースに接続されているマスタ機器に用いられる充電方法を提供する。当該方法は、設定信号を受信し、設定信号に基づいて充電方向を特定するステップと、充電方向が第１の充電方向であるとき、マスタ機器からスレーブ機器へ充電することを充電操作として特定するステップと、充電方向が第２の充電方向であるとき、スレーブ機器からマスタ機器へ充電することを充電操作として特定するステップと、充電操作に応じて、対応する充電指令をマスタ機器の電源管理チップとスレーブ機器の電源管理チップへ送信するステップと、を含む。
【０００６】
本開示の実施例の第２の態様によれば、多機能Ｉ／Ｏインターフェースが接続線を介してマスタ機器の多機能Ｉ／Ｏインターフェースに接続されているスレーブ機器に用いられる充電方法を提供する。当該方法は、マスタ機器からスレーブ機器の電源管理チップへ送信した充電指令を受信するステップと、充電指令に基づいて、接続線と電源管理チップによって、マスタ機器と共に充電操作を実施するステップと、を含み、充電指令は、マスタ機器がユーザの設定した充電方向に応じて特定した充電操作から生成される。
【０００７】
本開示の実施例の第３の態様によれば、多機能Ｉ／Ｏインターフェースが接続線を介してスレーブ機器の多機能Ｉ／Ｏインターフェースに接続されているマスタ機器に用いられる充電装置を提供する。当該装置は、設定信号を受信し、設定信号に基づいて充電方向を特定するように構成される受信モジュールと、充電方向が第１の充電方向であるとき、マスタ機器からスレーブ機器へ充電することを充電操作として特定するように構成される第１の特定モジュールと、充電方向が第２の充電方向であるとき、スレーブ機器からマスタ機器へ充電することを充電操作として特定するように構成される第２の特定モジュールと、充電操作に応じて、対応する充電指令をマスタ機器の電源管理チップとスレーブ機器の電源管理チップへ送信するように構成される第１の送信モジュールと、を備える。
【０００８】
本開示の実施例の第４の態様によれば、多機能Ｉ／Ｏインターフェースが接続線を介してマスタ機器の多機能Ｉ／Ｏインターフェースに接続されているスレーブ機器に用いられる充電装置を提供する。当該装置は、マスタ機器からスレーブ機器の電源管理チップへ送信した充電指令を受信するように構成される指令受信モジュールと、充電指令に基づいて、接続線と電源管理チップによって、マスタ機器と共に充電操作を実施するように構成される充電モジュールと、を備え、充電指令は、マスタ機器がユーザの設定した充電方向に応じて特定した充電操作から生成される。
【０００９】
本開示の実施例の第５の態様によれば、充電装置を提供する。当該装置は、プロセッサと、プロセッサが実行可能な指令を記憶するためのメモリと、を備え、プロセッサは、設定信号を受信し、設定信号に基づいて充電方向を特定し、充電方向が第１の充電方向であるとき、マスタ機器からスレーブ機器へ充電することを充電操作として特定し、充電方向が第２の充電方向であるとき、スレーブ機器からマスタ機器へ充電することを充電操作として特定し、充電操作に応じて、対応する充電指令をマスタ機器の電源管理チップとスレーブ機器の電源管理チップへ送信するように構成される。
【００１０】
本開示の実施例の第６の態様によれば、充電装置を提供する。当該装置は、プロセッサと、プロセッサが実行可能な指令を記憶するためのメモリと、を備え、プロセッサは、マスタ機器からスレーブ機器の電源管理チップへ送信した充電指令を受信し、充電指令に基づいて、接続線と電源管理チップによって、マスタ機器と共に充電操作を実施するように構成され、充電指令は、マスタ機器がユーザの設定した充電方向に応じて特定した充電操作から生成される。
【００１１】
本開示の実施例の第７の態様によれば、プロセッサに実行されることにより、本開示の実施例の第１または第２の態様に記載の充電方法を実現するプログラムを提供する。
【００１２】
本開示の実施例の第８の態様によれば、本開示の実施例の第７の態様に記載のプログラムが記録された記録媒体を提供する。
【発明の効果】
【００１３】
本開示の実施例による技術案は、以下の格別な作用効果を含むことができる。マスタ機器が、設定された充電方向に応じて、対応する充電指令をマスタ機器とスレーブ機器の電源管理チップへ送信することにより、スレーブ機器へ充電しまたはスレーブ機器からマスタ機器へ充電することを図り、移動電源を用いてスマート機器を充電する場合、移動電源の体積が大きいため、ユーザのキャリングに不利であるという課題を解決し、接続線を介して接続されている２つのスマート機器によれば、ユーザの設定した充電方向に応じて、スマート機器間の相互充電を実現できるという効果を奏する。
【００１４】
上述した一般的な記述および後続の詳細な記述は、単に例示的および解釈的なものであり、本発明を制限できるものでないと理解されるべきである。
【図面の簡単な説明】
【００１５】
ここでの図面は、明細書を構成する一部として見なされ、本開示に適した実施例を示し、かつ、明細書の文字記載とともに本開示の仕組みを解釈するために用いられる。
【図１】本発明の各実施例による充電方法に係る実施環境を示す構成模式図である。
【図２Ａ】ある実施例による充電方法を示す方法フローチャートである。
【図２Ｂ】ある実施例による充電方法に係る充電方向を設定する手順を示す方法フローチャートである。
【図２Ｃ】別の実施例による充電方法に係る電力量制御プログレスバーを更新する手順を示す方法フローチャートである。
【図３】別の実施例による充電方法を示す方法フローチャートである。
【図４Ａ】さらに別の実施例による充電方法を示す方法フローチャートである。
【図４Ｂ】さらに別の実施例による充電方法に係る電力量制御プログレスバーを表示する手順を示す方法フローチャートである。
【図４Ｃ】図４Ａに示す充電方法の実施模式図である。
【図４Ｄ】図４Ａに示す充電方法の実施模式図である。
【図５】ある実施例による充電装置を示す構成ブロック図である。
【図６】別の実施例による充電装置を示す構成ブロック図である。
【図７】さらに別の実施例による充電装置を示す構成ブロック図である。
【図８】ある実施例による充電装置を示すブロック図である。
【００１６】
上記図面には本開示の明確な実施例を示しており、後述にはより詳細に記述する。これらの図面及び文字記述は、本開示思想の範囲を限定するものではなく、特定の実施例を参照して本開示の概念を説明するためのものである。
【発明を実施するための形態】
【００１７】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の局面と一致する装置および方法の例に過ぎない。
【００１８】
図１は、本発明の各実施例による充電方法に係る実施環境を示す構成模式図である。当該実施環境は、マスタ機器１２０とスレーブ機器１４０と接続線１６０とを含む。
【００１９】
マスタ機器１２０とスレーブ機器１４０とは、多機能Ｉ／Ｏインターフェースを有する電子機器であり、当該電子機器は、スマートフォン、タブレットＰＣ、電子ブックリーダ、ＭＰ３プレーヤ（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  III、動的映像専門家圧縮標準音声レイヤー３）、ＭＰ４（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  IV、動的映像専門家圧縮標準音声レイヤー４）プレーヤまたはラップトップ型携帯可能なコンピュータなどであっても良い。通常の場合、マスタ機器１２０とスレーブ機器１４０とは多機能Ｉ／Ｏインターフェースが同じであり、且つ、当該多機能Ｉ／Ｏインターフェースは、マスタ機器とスレーブ機器との変換を図ることができる。例えば、当該多機能Ｉ／Ｏインターフェースは、Ｔｙｐｅ  Ｃインターフェースであっても良い。
【００２０】
マスタ機器１２０とスレーブ機器１４０とは、接続線１６０を介して接続されている。当該接続線１６０の端子１６２及び端子１６４はそれぞれ、マスタ機器１２０及びスレーブ機器１４０の多機能Ｉ／Ｏインターフェースと整合している。例えば、マスタ機器１２０とスレーブ機器１４０との多機能Ｉ／Ｏインターフェースが何れもＴｙｐｅ  Ｃインターフェースである場合、接続線１６０はＴｙｐｅ  Ｃ接続線であり、Ｔｙｐｅ  Ｃ接続線の端子１６２と端子１６４は何れもＴｙｐｅ  Ｃ端子である。
【００２１】
記述の便利のため、下記の実施例では、単にマスタ機器１２０及びスレーブ機器１４０をスマートフォンとし、マスタ機器１２０とスレーブ機器１４０との多機能Ｉ／ＯインターフェースをＴｙｐｅ  Ｃインターフェースとし、接続線１６０をＴｙｐｅ  Ｃ接続線とすることを例として説明するが、本開示では、これを限定しない。
【００２２】
図２Ａは、ある実施例による充電方法を示す方法フローチャートである。本実施例では、当該充電方法を図１に示す実施環境におけるマスタ機器１２０に用いることを例として説明する。当該方法は、下記のステップを含む。
【００２３】
ステップ２０１では、設定信号を受信し、設定信号に基づいて充電方向を特定する。
【００２４】
ステップ２０２では、充電方向が第１の充電方向であるとき、マスタ機器からスレーブ機器へ充電することを充電操作として特定する。
【００２５】
ステップ２０３では、充電方向が第２の充電方向であるとき、スレーブ機器からマスタ機器へ充電することを充電操作として特定する。
【００２６】
ステップ２０４では、充電操作に応じて、対応する充電指令をマスタ機器の電源管理チップとスレーブ機器の電源管理チップへ送信する。
【００２７】
以上により、本実施例による充電方法では、マスタ機器が、設定された充電方向に応じて、対応する充電指令をマスタ機器とスレーブ機器の電源管理チップへ送信することにより、スレーブ機器へ充電しまたはスレーブ機器からマスタ機器へ充電することを図り、移動電源を用いてスマート機器を充電する場合、移動電源の体積が大きいため、ユーザのキャリングに不利であるという課題を解決し、接続線を介して接続されている２つのスマート機器によれば、ユーザの設定した充電方向に応じて、スマート機器間の相互充電を実現できるという効果を奏する。
【００２８】
ユーザがマスタ機器とスレーブ機器の余剰電力量をより直観に把握し、当該余剰電力量に基づいて充電方向を設定することを可能にするために、マスタ機器は、プログレスバーの形式でマスタ機器とスレーブ機器の余剰電力量を表示し、かつ、当該プログレスバーによって、ユーザが設定した目標余剰電力量を受信しても良い。ある可能な実施形態としては、図２Ｂに示すように、上記ステップ２０１は、以下のステップを含んでも良い。
【００２９】
ステップ２０１Ａでは、電力量制御プログレスバーによって、マスタ機器の初期余剰電力量及びスレーブ機器の初期余剰電力量がそれぞれマスタ機器の初期余剰電力量とスレーブ機器の初期余剰電力量との和である総余剰電力量に占めるパーセントを含む初期電力量情報を表示する。
【００３０】
ステップ２０１Ｂでは、電力量制御プログレスバーに対するスライド操作を受け付ける。
【００３１】
ステップ２０１Ｃでは、スライド操作に基づいて、マスタ機器の目標余剰電力量及びスレーブ機器の目標余剰電力量がそれぞれ総余剰電力量に占めるパーセントを含む目標電力量情報を特定する。
【００３２】
ステップ２０１Ｄでは、初期電力量情報と目標電力量情報に基づいて、充電方向を特定する。
【００３３】
ユーザがマスタ機器とスレーブ機器との間の充電状況をリアルタイムに了解するために、マスタ機器は、所定の時間間隔おきにマスタ機器とスレーブ機器の現在余剰電力量を取得し、かつ、現在余剰電力量情報に基づいてプログレスバーを更新しても良い。ある可能な実施形態としては、図２Ｃに示すように、当該方法は、以下のステップをさらに含んでも良い。
【００３４】
ステップ２０５では、所定の時間間隔おきに、充電期間のマスタ機器の電力消費状況を示すための第１の電力量消費情報と、マスタ機器の現在余剰電力量とを取得する。
【００３５】
ステップ２０６では、所定の時間間隔おきに、接続線を介した接続によって、充電期間のスレーブ機器の電力消費状況を示すための第２の電力量消費情報と、スレーブ機器の現在余剰電力量とをスレーブ機器から読み取る。
【００３６】
ステップ２０７では、マスタ機器の現在余剰電力量、スレーブ機器の現在余剰電力量、第１の電力量消費情報及び第２の電力量消費情報がそれぞれ総余剰電力量に占めるパーセントに基づいて、電力量制御プログレスバーを更新する。
【００３７】
図３は、別の実施例による充電方法を示す方法フローチャートである。本実施例では、当該充電方法を図１に示す実施環境におけるスレーブ機器１４０に用いることを例として説明する。当該方法は、以下のステップを含む。
【００３８】
ステップ３０１では、マスタ機器からスレーブ機器の電源管理チップへ送信した充電指令を受信する。充電指令は、マスタ機器がユーザの設定した充電方向に応じて特定した充電操作から生成される。
【００３９】
ステップ３０２では、充電指令に基づいて、接続線と電源管理チップによって、マスタ機器と共に充電操作を実施する。
【００４０】
以上により、本実施例による充電方法によれば、スレーブ機器が、マスタ機器からスレーブ機器の電源管理チップへ送信した充電指令を受信し、かつ、当該充電指令に基づいて、マスタ機器と共に充電操作を実施することにより、移動電源を用いてスマート機器を充電する場合、移動電源の体積が大きいため、ユーザのキャリングに不利であるという課題を解決し、接続線を介して接続されている２つのスマート機器によれば、ユーザの設定した充電方向に応じて、スマート機器間の相互充電を実現できるという効果を奏する。
【００４１】
図４Ａは、さらに別の実施例による充電方法を示す方法フローチャートである。本実施例では、当該充電方法を図１に示す実施環境に用いることを例として説明する。当該方法は、以下のステップを含む。
【００４２】
ステップ４０１では、マスタ機器は、電力量制御プログレスバーによって初期電力量情報を表示する。
【００４３】
ユーザが接続線を用いて２つのスマート機器を接続したとき、２つのスマート機器の間にデータ通信接続を確立しており、スマート機器の間は、当該接続線を介してデータの伝送を行うことができる。例えば、当該接続線がＴｙｐｅ  Ｃ接続線であっても良く、Ｔｙｐｅ  Ｃ接続線の両端が何れもＴｙｐｅ  Ｃ端子であり、かつ、２つのスマート機器の多機能Ｉ／Ｏインターフェースが何れもＴｙｐｅ  Ｃインターフェースであり、当該Ｔｙｐｅ  Ｃ接続線を用いれば、２つのスマート機器の間に接続を確立することができる。なお、Ｔｙｐｅ  Ｃインターフェースを有する２つのスマート機器は、Ｔｙｐｅ  Ｃプロトコルを用いる。
【００４４】
当該Ｔｙｐｅ  Ｃ接続線を介して接続されている２つのスマート機器のうち一方のスマート機器をマスタ機器とし、他方のスマート機器をスレーブ機器とし、マスタ機器は、データをスレーブ機器へリードライトすることができるが、スレーブ機器は、データをマスタ機器へリードライトすることができない。ある可能な実施形態としては、２つのスマート機器では、先ずＴｙｐｅ  Ｃ接続線が挿入されるスマート機器は、デフォルトのマスタ機器とされ、対応的に、後でＴｙｐｅ  Ｃ接続線が挿入されるスマート機器は、デフォルトのスレーブ機器とされる。スマート機器が接続を確立した後、マスタ機器（またはスレーブ機器）は、スレーブ機器（またはマスタ機器）へマスタ機器切換要求を送信することができ、スレーブ機器（またはマスタ機器）は、当該マスタ機器切換要求に基づいてマスタ機器（またはスレーブ機器）に切換わり、かつ、現在のマスタスレーブ機器関係に基づいて、新たしいデータ通信を確立する。Ｔｙｐｅ  Ｃプロトコルによってマスタスレーブ機器の自由な切換を図ることは、当業者に熟知のことであるため、ここでは繰り返して説明しない。
【００４５】
ユーザがスマート機器の現在の余剰電力量を一層把握し、かつ、当該余剰電力量に基づいて充電方向を設定可能にするために、マスタ機器は、電力量制御プログレスバーによって初期電力量情報を表示しても良く、当該初期電力量情報は、マスタ機器の初期余剰電力量及びスレーブ機器の初期余剰電力量がそれぞれ総余剰電力量に占めるパーセントであり、総余剰電力量は、マスタ機器の初期余剰電力量とスレーブ機器の初期余剰電力量との和である。
【００４６】
ある可能な実施形態としては、図４Ｂに示すように、本ステップは、以下のステップを含んでも良い。
【００４７】
ステップ４０１Ａでは、マスタ機器がマスタ機器の初期余剰電力量を取得する。
【００４８】
ユーザがＴｙｐｅ  Ｃ接続線を用いて２つのスマート機器を接続するとき、２つのスマート機器のうちマスタ機器は、所定のアプリケーションプログラムを自動で呼び出すことができ、当該所定のアプリケーションプログラムは、スマート機器の間で充電操作を制御するためのものである。
【００４９】
当該所定のアプリケーションプログラムを起動した後、マスタ機器は、対応するプログレスを呼び出してマスタ機器の現在余剰電力量を取得し、かつ、現在余剰電力量をマスタ機器の初期余剰電力量として特定しても良い。
【００５０】
ステップ４０１Ｂでは、マスタ機器は、接続線を介した接続によって、スレーブ機器に対応するスレーブ機器の初期余剰電力量を読み取る。
【００５１】
マスタ機器はスレーブ機器からデータをリードライトすることができるため、自分余剰電力量を取得すると同時、Ｔｙｐｅ  Ｃ接続線を介してスレーブ機器の現在余剰電力量を読み取り、読み取った現在余剰電力量をスレーブ機器の初期余剰電力量として特定しても良い。
【００５２】
ステップ４０１Ｃでは、マスタ機器は、マスタ機器の初期余剰電力量及びスレーブ機器の初期余剰電力量がそれぞれ総余剰電力量に占めるパーセントに基づいて、マスタ機器の初期余剰電力量に対応するプログレスバー及びスレーブ機器の初期余剰電力量に対応するプログレスバーがそれぞれ電力量制御プログレスバーに占める長さのパーセントを特定する。
【００５３】
マスタ機器は、取得されたマスタ機器の初期余剰電力量とスレーブ機器の初期余剰電力量に基づいて、余剰電力量を算出する。ユーザがマスタ機器とスレーブ機器の余剰電力量の大小関係をより直観に把握するために、マスタ機器は、さらに、マスタ機器の初期余剰電力量及びスレーブ機器の初期余剰電力量がそれぞれ総余剰電力量に占めるパーセントを算出する。
【００５４】
マスタ機器の初期余剰電力量及びスレーブ機器の初期余剰電力量がそれぞれ総余剰電力量に占めるパーセントを算出した後、マスタ機器は、電力量制御プログレスバーをスクリーンに表示する。ここでは、マスタ機器の初期余剰電力量に対応するプログレスバーが電力量制御プログレスバーに占める長さのパーセントは、マスタ機器の初期余剰電力量が総余剰電力量に占めるパーセントであり、スレーブ機器の初期余剰電力量に対応するプログレスバーが電力量制御プログレスバーに占める長さのパーセントは、スレーブ機器の初期余剰電力量が総余剰電力量に占めるパーセントである。なお、ユーザによる区別を便利にするために、マスタ機器の初期余剰電力量に対応するプログレスバーとスレーブ機器の初期余剰電力量に対応するプログレスバーとは、異なる背景色を用いて標識する。
【００５５】
例えば、図４Ｃに示すように、マスタ機器４１は、マスタ機器の初期余剰電力量として１０００ミリアンペアを取得し、かつ、接続線によってスレーブ機器４２のスレーブ機器の初期余剰電力量として５００ミリアンペアを読み取ったとき、マスタ機器の初期余剰電力量及びスレーブ機器の初期余剰電力量がそれぞれ総余剰電力量に占めるパーセントを算出してそれぞれ６７％と３３％とを取得する。算出されたパーセントに基づいて、マスタ機器４１は、電力量制御プログレスバー４３を表示する。ここでは、マスタ機器の初期余剰電力量に対応するプログレスバー４３１が電力量制御プログレスバー４３に占める長さのパーセントは、６７％であり、スレーブ機器の初期余剰電力量に対応するプログレスバー４３２が電力量制御プログレスバー４３に占める長さのパーセントは、３３％である。
【００５６】
ステップ４０２では、マスタ機器は電力量制御プログレスバーに対するスライド操作を受け付ける。
【００５７】
マスタ機器は、電力量制御プログレスバーを表示した後、ユーザによる当該電力量制御プログレスバーに対するスライド操作により、ユーザが設定した目標電力量情報を特定する。ここでは、当該スライド操作とは、電力量制御プログレスバーのスライドバーをドラッグすることを指してもよい。なお、マスタ機器は、電力量制御プログレスバーに対するスライド操作を受け付けると同時、スライドバーのリアルタイムな位置に応じて、電力量制御プログレスバーに表示される数値情報を更新する必要がある。
【００５８】
例えば、図４Ｃに示すように、マスタ機器４１は、電力量制御プログレスバー４３のスライドバー４３３によってユーザのスライド操作を受付し、スライド操作に応じて、プログレスバー４３１とプログレスバー４３２に表示されるパーセント数値を更新する。
【００５９】
ステップ４０３では、マスタ機器は、スライド操作に応じて、マスタ機器の目標余剰電力量及びスレーブ機器の目標余剰電力量がそれぞれ総余剰電力量に占めるパーセントを含む目標電力量情報を特定する。
【００６０】
マスタ機器は、当該スライド操作に応じて、ユーザが設定したマスタ機器の目標余剰電力量及びスレーブ機器の目標余剰電力量がそれぞれ総余剰電力量に占めるパーセントを特定する。
【００６１】
例えば、図４Ｄに示すように、スライドバー４３３が図示の位置にドラッグされており、ユーザが特定ボタン４４をクリックしたとき、マスタ機器４１は、現在でスライドバー４３３が電力量制御プログレスバー４３にある位置に応じて、ユーザが設定したマスタ機器の目標余剰電力量とスレーブ機器の目標余剰電力量とが総余剰電力量に占めるパーセントをそれぞれ３３％と６７％として特定する。
【００６２】
ステップ４０４では、マスタ機器は初期電力量情報と目標電力量情報に基づいて充電方向を特定する。
【００６３】
マスタ機器からスレーブ機器へ充電しても良いし、スレーブ機器からマスタ機器へ充電しても良いため、マスタ機器は、初期電力量情報とユーザが設定した目標電力量情報とに基づいて、さらに充電方向を特定する必要がある。
【００６４】
ある可能な実施形態としては、本ステップは、以下のステップを含んでも良い。
【００６５】
ステップ４０４Ａでは、マスタ機器の目標余剰電力量が総余剰電力量に占めるパーセントは、マスタ機器の初期余剰電力量が総余剰電力量に占めるパーセントよりも小さいとき、または、スレーブ機器の目標余剰電力量が総余剰電力量に占めるパーセントは、スレーブ機器の初期余剰電力量が総余剰電力量に占めるパーセントよりも大きいとき、マスタ機器は、充電方向を第１の充電方向として特定する。
【００６６】
ここでは、第１の充電方向とは、マスタ機器からスレーブ機器へ充電することである。
【００６７】
充電方向が第１の充電方向であるとき、ステップ４０５を実行する。
【００６８】
例えば、図４Ｄに示すように、マスタ機器の目標余剰電力量が総余剰電力量に占めるパーセントは３３％であり、マスタ機器の初期余剰電力量が総余剰電力量に占めるパーセント６７％よりも小さく、マスタ機器４１は、充電方向を第１の充電方向として特定する。
【００６９】
ステップ４０４Ｂでは、マスタ機器の目標余剰電力量が総余剰電力量に占めるパーセントは、マスタ機器の初期余剰電力量が総余剰電力量に占めるパーセントよりも大きいとき、または、スレーブ機器の目標余剰電力量が総余剰電力量に占めるパーセントは、スレーブ機器の初期余剰電力量が総余剰電力量に占めるパーセントよりも小さいとき、マスタ機器は、充電方向を第２の充電方向として特定する。
【００７０】
ここでは、第２の充電方向とは、スレーブ機器からマスタ機器へ充電することである。
【００７１】
充電方向が第２の充電方向であるとき、ステップ４０６を実行する。
【００７２】
ステップ４０５では、充電方向が第１の充電方向であるとき、マスタ機器は、マスタ機器からスレーブ機器へ充電することを充電操作として特定する。
【００７３】
ユーザが設定された充電方向をより直観に把握させるために、マスタ機器は、充電方向を特定した後、さらに、対応する充電方向アイコンを表示する。
【００７４】
例えば、図４Ｄに示すように、マスタ機器４１は、ユーザの設定した充電方向に応じて、対応する第１の充電方向アイコン４５を表示する。
【００７５】
ステップ４０６では、充電方向が第２の充電方向であるとき、マスタ機器は、スレーブ機器からマスタ機器へ充電することを充電操作として特定する。
【００７６】
対応的に、マスタ機器は、充電方向を第２の充電方向として特定したとき、対応する第２の充電方向アイコンを表示する。
【００７７】
ステップ４０７では、マスタ機器は、充電操作に応じて、対応する充電指令をマスタ機器の電源管理チップとスレーブ機器の電源管理チップへ送信する。
【００７８】
マスタ機器は、特定した充電操作に応じて、対応する充電指令をマスタ機器の電源管理チップとスレーブ機器の電源管理チップへ送信する。
【００７９】
充電操作がマスタ機器からスレーブ機器へ充電する旨を指示するとき、マスタ機器は、マスタ機器の電源管理チップへ、放電を行う旨をマスタ機器に指示する指令を送信し、かつ、Ｔｙｐｅ  Ｃ接続線を介して、スレーブ機器の電源管理チップへ、充電を行う旨をスレーブ機器に指示する指令を送信する。充電操作がスレーブ機器からマスタ機器へ充電する旨を指示するとき、マスタ機器は、マスタ機器の電源管理チップへ、充電を行う旨をマスタ機器に指示する指令を送信し、かつ、Ｔｙｐｅ  Ｃ接続線を介して、スレーブ機器の電源管理チップへ、放電を行う旨をスレーブ機器に指示する指令を送信する。
【００８０】
ステップ４０８では、スレーブ機器は、マスタ機器からスレーブ機器の電源管理チップへ送信した充電指令を受信する。
【００８１】
対応的に、スレーブ機器は、Ｔｙｐｅ  Ｃ接続線を介して、マスタ機器が送信した充電指令を受信する。
【００８２】
ステップ４０９では、スレーブ機器は充電指令に基づいて、接続線と電源管理チップによって、マスタ機器と共に充電操作を実施する。
【００８３】
スレーブ機器は、マスタ機器へ充電する旨を指示する充電指令を受信したとき、Ｔｙｐｅ  Ｃ接続線を介してマスタ機器へ充電する。
【００８４】
スレーブ機器は、マスタ機器からスレーブ機器へ充電する旨を指示する充電指令を受信したとき、Ｔｙｐｅ  Ｃ接続線を介して、マスタ機器が伝送した電力量リソースを受信する。
【００８５】
ステップ４１０では、マスタ機器は、所定の時間間隔おきに、充電期間のマスタ機器の電力消費状況を示すための第１の電力量消費情報と、マスタ機器の現在余剰電力量とを取得する。
【００８６】
ユーザが充電プログレスを了解可能にするために、マスタ機器は、所定の時間間隔おきに、マスタ機器の現在余剰電力量を取得し、当該所定の時間間隔は、１０秒であっても良い。
【００８７】
また、マスタ機器及びスレーブ機器が充電を行う過程では、プログラム運行及びユーザ使用などの理由により、電力が継続的に消費される。ユーザが機器の電力消費状況を知るために、マスタ機器は、マスタ機器の現在余剰電力量を取得すると同時に、充電期間のマスタ機器の電力消費状況を示すための第１の電力量消費情報をさらに取得する。
【００８８】
ステップ４１１では、マスタ機器は、所定の時間間隔おきに、接続線を介した接続によって、第２の電力量消費情報とスレーブ機器の現在余剰電力量とをスレーブ機器から読み取る。
【００８９】
対応的に、マスタ機器は、第１の電力量消費情報とマスタ機器の現在余剰電力量とを取得すると同時に、さらに、Ｔｙｐｅ  Ｃ接続線を介してスレーブ機器の第２の電力量消費情報とスレーブ機器の現在余剰電力量とを読み取る必要があり、ここでは、第２の電力量消費情報は、充電期間のスレーブ機器の電力消費状況を示すためのものである。
【００９０】
ステップ４１２では、スレーブ機器は、所定の時間間隔おきに、接続線を介した接続によって、第２の電力量消費情報とスレーブ機器の現在余剰電力量とをマスタ機器へ送信する。
【００９１】
対応的に、スレーブ機器は、Ｔｙｐｅ  Ｃ接続線を介して、第２の電力量消費情報とスレーブ機器の現在余剰電力量とをマスタ機器へ送信する。
【００９２】
なお、マスタ機器は、第２の電力量消費情報とスレーブ機器の現在余剰電力量とを自発的に読み取ってもよく、スレーブ機器が自発的に送信した第２の電力量消費情報とスレーブ機器の現在余剰電力量とを受信してもよく、本開示では、これを限定しない。
【００９３】
ステップ４１３では、マスタ機器は、マスタ機器の現在余剰電力量、スレーブ機器の現在余剰電力量、第１の電力量消費情報及び第２の電力量消費情報がそれぞれ総余剰電力量に占めるパーセントに基づいて、電力量制御プログレスバーを更新する。
【００９４】
マスタ機器は、取得されたマスタ機器の現在余剰電力量、スレーブ機器の現在余剰電力量、第１の電力量消費情報及び第２の電力量消費情報に基づいて、電力量制御プログレスバーにおける数値をリアルタイムに更新する。
【００９５】
ここでは、マスタ機器は、電力量制御プログレスバーによって現在電力量情報を表示するとき、異なる色を用いて、マスタ機器の現在余剰電力量に対応するプログレスバー、スレーブ機器の現在余剰電力量に対応するプログレスバー、第１の電力量消費情報に対応するプログレスバー及び第２の電力量消費情報に対応するプログレスバーを標識する。
【００９６】
例えば、図４Ｄに示すように、マスタ機器４１はそれぞれ、異なる背景色を用いて、マスタ機器の現在余剰電力量、スレーブ機器の現在余剰電力量、第１の電力量消費情報及び第２の電力量消費情報を標識する。
【００９７】
なお、マスタ機器は、ユーザが設定した目標電力量を示すために、さらに、ユーザが設定した目標電力量情報に基づいて、対応する目標電力量提示標識を電力量制御プログレスバーに表示しても良い。
【００９８】
なお、マスタ機器は、ユーザが充電の時間を便利に把握するために、さらに、現在余剰電力量と目標余剰電力量とに基づいて充電待ち電力量を算出し、且つ、当該充電待ち電力量と現在の充電速度とに基づいて残り充電時間を算出して表示しても良い。
【００９９】
なお、充電効果を保証するために、マスタ機器は、第１の電力量消費情報と第２の電力量消費情報とを取得した後、充電期間のマスタ機器に対応する第１の電力消費速度およびスレーブ機器に対応する第２の電力消費速度を算出し、第１の電力消費速度または第２の電力消費速度が所定の電力消費閾値よりも大きいとき、充電期間の電力消費が速すぎると特定し、かつ、対応する注意情報を発して、充電効果を保証するために機器の使用を低減する旨をユーザに注意し、または、対応するプログラムを自動で呼び出して所定のプログラムをクリーンし、これによって、より良い充電効果を奏する。ここでは、所定のプログラムは、バックグランドで運行されるプログラム、または、使用頻度が低いプログラムであっても良い。
【０１００】
ステップ４１４では、マスタ機器の現在余剰電力量がマスタ機器の目標余剰電力量に達し、または、スレーブ機器の現在余剰電力量がスレーブ機器の目標余剰電力量に達したとき、マスタ機器は、充電停止指令をマスタ機器の電源管理チップとスレーブ機器の電源管理チップへ送信する。
【０１０１】
マスタ機器は、現在余剰電力量が目標余剰電力量に達したと検出したとき、充電停止指令を自動でマスタ機器の電源管理チップとスレーブ機器の電源管理チップへ送信して、マスタ機器とスレーブ機器との間で充電操作を停止することを命令する。
【０１０２】
ステップ４１５では、スレーブ機器は、マスタ機器から接続線を介した接続によって送信された充電停止指令を受信する。
【０１０３】
当該充電停止指令は、マスタ機器が、マスタ機器の現在余剰電力量がマスタ機器目標電力量に達したと検出し、または、スレーブ機器の現在余剰電力量がスレーブ機器目標電力量に達したと検出した時に送信するものである。
【０１０４】
ステップ４１６では、スレーブ機器は充電停止指令に基づいて、マスタ機器との間の充電操作を停止する。
【０１０５】
対応的に、スレーブ機器の電源管理チップは、受信された充電停止指令に基づいて、マスタ機器との間の充電操作を停止する。
【０１０６】
以上により、本実施例による充電方法によれば、マスタ機器が、設定された充電方向に応じて、対応する充電指令をマスタ機器とスレーブ機器の電源管理チップへ送信することにより、スレーブ機器へ充電しまたはスレーブ機器からマスタ機器へ充電することを図り、移動電源を用いてスマート機器を充電する場合、移動電源の体積が大きいため、ユーザのキャリングに不利であるという課題を解決し、接続線を介して接続されている２つのスマート機器によれば、ユーザの設定した充電方向に応じて、スマート機器間の相互充電を実現できるという効果を奏する。
【０１０７】
本実施例では、マスタ機器は、プログレスバーの形式でマスタ機器とスレーブ機器の電力量情報を表示し、かつ、当該プログレスバーによって、ユーザの設定した充電方向および充電の電力量を受信することで、全体の充電過程をより直観且つ正確にする。
【０１０８】
本実施例では、マスタ機器は、さらに、自身とスレーブ機器の現在余剰電力量をリアルタイムに取得し、かつ、現在余剰電力量と充電期間の電力消費状況をプログレスバーに表示することで、ユーザが充電プログレスを便利に把握する。
【０１０９】
本実施例では、現在余剰電力量がユーザの設定した目標電力量に達したとき、マスタ機器は、充電停止指令をマスタ機器における電源制御チップとスレーブ機器における電源制御チップへ送信することで、マスタ機器またはスレーブ機器の過充電を回避し、マスタ機器とスレーブ機器との間の充電の正確度を向上させる。
【０１１０】
図５は、ある実施例による充電装置を示す構成ブロック図である。当該充電装置は、ソフトウェア、ハードウェアまたは両者の組合せによって、図１におけるマスタ機器１２０の一部または全部を実現することができる。
【０１１１】
当該充電装置は、設定信号を受信し、設定信号に基づいて充電方向を特定するように構成される受信モジュール５１０と、充電方向が第１の充電方向であるとき、マスタ機器からスレーブ機器へ充電することを充電操作として特定するように構成される第１の特定モジュール５２０と、充電方向が第２の充電方向であるとき、スレーブ機器からマスタ機器へ充電することを充電操作として特定するように構成される第２の特定モジュール５３０と、充電操作に応じて、対応する充電指令をマスタ機器の電源管理チップとスレーブ機器の電源管理チップへ送信するように構成される第１の送信モジュール５４０と、を備えても良い。
【０１１２】
以上により、本実施例による充電装置によれば、マスタ機器が、設定された充電方向に応じて、対応する充電指令をマスタ機器とスレーブ機器の電源管理チップへ送信することにより、スレーブ機器へ充電しまたはスレーブ機器からマスタ機器へ充電することを図り、移動電源を用いてスマート機器を充電する場合、移動電源の体積が大きいため、ユーザのキャリングに不利であるという課題を解決し、接続線を介して接続されている２つのスマート機器によれば、ユーザの設定した充電方向に応じて、スマート機器間の相互充電を実現できるという効果を奏する。
【０１１３】
図６は、別の実施例による充電装置を示す構成ブロック図である。当該充電装置は、ソフトウェア、ハードウェアまたは両者の組合せによって、図１におけるマスタ機器１２０の一部または全部を実現することができる。
【０１１４】
当該充電装置は、設定信号を受信し、設定信号に基づいて充電方向を特定するように構成される受信モジュール６１０と、充電方向が第１の充電方向であるとき、マスタ機器からスレーブ機器へ充電することを充電操作として特定するように構成される第１の特定モジュール６２０と、充電方向が第２の充電方向であるとき、スレーブ機器からマスタ機器へ充電することを充電操作として特定するように構成される第２の特定モジュール６３０と、充電操作に応じて、対応する充電指令をマスタ機器の電源管理チップとスレーブ機器の電源管理チップへ送信するように構成される第１の送信モジュール６４０と、を備えても良い。
【０１１５】
好ましくは、受信モジュール６１０は、電力量制御プログレスバーによって、前記マスタ機器の初期余剰電力量と前記スレーブ機器の初期余剰電力量との和である総余剰電力量に対して前記マスタ機器の初期余剰電力量及び前記スレーブ機器の初期余剰電力量がそれぞれ占めるパーセントを含む初期電力量情報を表示するように構成される表示サブモジュール６１１と、前記電力量制御プログレスバーに対するスライド操作を受け付けるように構成される操作受付サブモジュール６１２と、前記スライド操作に応じて、前記マスタ機器の目標余剰電力量及び前記スレーブ機器の目標余剰電力量がそれぞれ前記総余剰電力量に占めるパーセントを含む目標電力量情報を特定するように構成される第１の特定サブモジュール６１３と、前記初期電力量情報および前記目標電力量情報に基づいて、前記充電方向を特定するように構成される第２の特定サブモジュール６１４と、を有する。
【０１１６】
好ましくは、第２の特定サブモジュール６１４は、前記マスタ機器の目標余剰電力量が前記総余剰電力量に占めるパーセントが、前記マスタ機器の初期余剰電力量が前記総余剰電力量に占めるパーセントよりも小さいとき、もしくは、前記スレーブ機器の目標余剰電力量が前記総余剰電力量に占めるパーセントが、前記スレーブ機器の初期余剰電力量が前記総余剰電力量に占めるパーセントよりも大きいとき、前記充電方向を前記第１の充電方向として特定するように構成される第１の方向特定サブモジュール６１４Ａ、または、前記マスタ機器の目標余剰電力量が前記総余剰電力量に占めるパーセントが、前記マスタ機器の初期余剰電力量が前記総余剰電力量に占めるパーセントよりも大きいとき、もしくは、前記スレーブ機器の目標余剰電力量が前記総余剰電力量に占めるパーセントが、前記スレーブ機器の初期余剰電力量が前記総余剰電力量に占めるパーセントよりも小さいとき、前記充電方向を前記第２の充電方向として特定するように構成される第２の方向特定サブモジュール６１４Ｂを有する。
【０１１７】
好ましくは、表示サブモジュール６１１は、前記マスタ機器の初期余剰電力量を取得するように構成される取得サブモジュール６１１Ａと、前記接続線を介した接続によって、前記スレーブ機器に対応する前記スレーブ機器の初期余剰電力量を読み取るように構成される読取サブモジュール６１１Ｂと、前記マスタ機器の初期余剰電力量及び前記スレーブ機器の初期余剰電力量がそれぞれ総余剰電力量に占めるパーセントに基づいて、前記マスタ機器の初期余剰電力量に対応するプログレスバー及び前記スレーブ機器の初期余剰電力量に対応するプログレスバーがそれぞれ前記電力量制御プログレスバーに占める長さのパーセントを特定するように構成される第３の特定サブモジュール６１１Ｃと、を有する。
【０１１８】
好ましくは、当該装置は、所定の時間間隔おきに、充電期間での前記マスタ機器の電力消費状況を示すための第１の電力量消費情報と、マスタ機器の現在余剰電力量とを取得するように構成される取得モジュール６５０と、前記所定の時間間隔おきに、前記接続線を介した接続によって、充電期間での前記スレーブ機器の電力消費状況を示すための第２の電力量消費情報と、スレーブ機器の現在余剰電力量とを前記スレーブ機器から読み取るように構成される読取モジュール６６０と、前記マスタ機器の現在余剰電力量、前記スレーブ機器の現在余剰電力量、前記第１の電力量消費情報及び前記第２の電力量消費情報がそれぞれ前記総余剰電力量に占めるパーセントに基づいて、前記電力量制御プログレスバーを更新するように構成される更新モジュール６７０と、をさらに備える。
【０１１９】
好ましくは、前記マスタ機器は、前記電力量制御プログレスバーによって現在電力量情報を表示するとき、異なる色を用いて、前記マスタ機器の現在余剰電力量に対応するプログレスバー、スレーブ機器の現在余剰電力量に対応するプログレスバー、前記第１の電力量消費情報に対応するプログレスバー及び前記第２の電力量消費情報に対応するプログレスバーを標識する。
【０１２０】
好ましくは、当該装置は、マスタ機器の現在余剰電力量が前記マスタ機器の目標余剰電力量に達し、または、スレーブ機器の現在余剰電力量が前記スレーブ機器の目標余剰電力量に達したとき、充電停止指令を前記マスタ機器の電源管理チップと前記スレーブ機器の電源管理チップへ送信するように構成される第２の送信モジュール６８０をさらに備える。
【０１２１】
好ましくは、前記接続線がＴｙｐｅ  Ｃ接続線であり、前記Ｔｙｐｅ  Ｃ接続線の両端が何れもＴｙｐｅ  Ｃ端子であり、かつ、前記マスタ機器と前記スレーブ機器の前記多機能Ｉ／Ｏインターフェースが何れもＴｙｐｅ  Ｃインターフェースである。
【０１２２】
以上により、本実施例による充電装置によれば、マスタ機器が、設定された充電方向に応じて、対応する充電指令をマスタ機器とスレーブ機器の電源管理チップへ送信することにより、スレーブ機器へ充電しまたはスレーブ機器からマスタ機器へ充電することを図り、移動電源を用いてスマート機器を充電する場合、移動電源の体積が大きいため、ユーザのキャリングに不利であるという課題を解決し、接続線を介して接続されている２つのスマート機器によれば、ユーザの設定した充電方向に応じて、スマート機器間の相互充電を実現できるという効果を奏する。
【０１２３】
本実施例では、マスタ機器は、プログレスバーの形式でマスタ機器とスレーブ機器の電力量情報を表示し、かつ、当該プログレスバーによって、ユーザの設定した充電方向および充電の電力量を受信することで、全体の充電過程をより直観且つ正確にする。
【０１２４】
本実施例では、マスタ機器は、さらに、自身とスレーブ機器の現在余剰電力量をリアルタイムに取得し、かつ、現在余剰電力量と充電期間の電力消費状況をプログレスバーに表示することで、ユーザが充電プログレスを便利に把握する。
【０１２５】
本実施例では、現在余剰電力量がユーザの設定した目標電力量に達したとき、マスタ機器は、充電停止指令をマスタ機器における電源制御チップとスレーブ機器における電源制御チップへ送信することで、マスタ機器またはスレーブ機器の過充電を回避し、マスタ機器とスレーブ機器との間の充電の正確度を向上させる。
【０１２６】
図７は、さらに別の実施例による充電装置を示す構成ブロック図である。当該充電装置は、ソフトウェア、ハードウェアまたは両者の組合せによって、図１におけるスレーブ機器１６０の一部または全部を実現することができる。
【０１２７】
当該充電装置は、マスタ機器からスレーブ機器の電源管理チップへ送信した充電指令を受信するように構成される指令受信モジュール７１０と、充電指令に基づいて、接続線と電源管理チップによって、マスタ機器と共に充電操作を実施するように構成される充電モジュール７２０と、を備えても良く、充電指令は、マスタ機器がユーザの設定した充電方向に応じて特定した充電操作から生成される。
【０１２８】
好ましくは、当該装置は、所定の時間間隔おきに、前記接続線を介した接続によって、充電期間での前記スレーブ機器の電力消費状況を示すための第２の電力量消費情報と、スレーブ機器の現在余剰電力量とを前記マスタ機器へ送信するように構成される第３の送信モジュール７３０をさらに備える。
【０１２９】
好ましくは、当該装置は、前記マスタ機器から前記接続線を介した接続によって送信された充電停止指令を受信するように構成される停止指令受信モジュール７４０と、前記充電停止指令に基づいて、前記マスタ機器との間の前記充電操作を停止するように構成される停止充電モジュール７５０と、をさらに備え、前記充電停止指令は、前記マスタ機器が、マスタ機器の現在余剰電力量がマスタ機器目標電力量に達したと検出し、または、スレーブ機器の現在余剰電力量がスレーブ機器目標電力量に達したと検出した時に送信するものである。
【０１３０】
好ましくは、当該接続線がＴｙｐｅ  Ｃ接続線であり、前記Ｔｙｐｅ  Ｃ接続線の両端が何れもＴｙｐｅ  Ｃ端子であり、かつ、前記マスタ機器と前記スレーブ機器の前記多機能Ｉ／Ｏインターフェースが何れもＴｙｐｅ  Ｃインターフェースである。
【０１３１】
以上により、本実施例による充電装置によれば、スレーブ機器が、マスタ機器からスレーブ機器の電源管理チップへ送信した充電指令を受信し、かつ、当該充電指令に基づいて、マスタ機器と共に充電操作を実施することにより、移動電源を用いてスマート機器を充電する場合、移動電源の体積が大きいため、ユーザのキャリングに不利であるという課題を解決し、接続線を介して接続されている２つのスマート機器によれば、ユーザの設定した充電方向に応じて、スマート機器間の相互充電を実現できるという効果を奏する。
【０１３２】
上記実施例における装置中の各モジュールが操作を実行する具体的な形態は、当該方法に関する実施例において詳細に記述されているため、ここで詳細に説明しない。
【０１３３】
図８は、ある実施例による充電装置８００を示すブロック図である。例えば、装置８００は、スマートフォン、タブレットデバイスまたは電子ブックリーダなどであってもよい。
【０１３４】
図８を参照すると、装置８００は、以下の１つ又は複数のユニット、すなわち、処理ユニット８０２、メモリ８０４、電源ユニット８０６、マルチメディアユニット８０８、オーディオユニット８１０、入力・出力（Ｉ／Ｏ）インターフェース８１２、センサユニット８１４及び通信ユニット８１６を備えてもよい。
【０１３５】
処理ユニット８０２は通常、装置８００の全般操作、例えば、表示、電話発呼、データ通信、カメラ操作及び記録操作に関連する操作を制御する。処理ユニット８０２は、前記方法のステップの全部又は一部を実行するように、指令を実行する１つ又は複数のプロセッサ８２０を備えてもよい。また、処理ユニット８０２は、処理ユニット８０２と他のユニットとの間の相互作用を容易にするように、１つ又は複数のモジュールを備えてもよい。例えば、処理ユニット８０２は、マルチメディアユニット８０８と処理ユニット８０２との間の相互作用を容易にするように、マルチメディアモジュールを備えてもよい。
【０１３６】
メモリ８０４は、装置８００での操作をサポートするために、各種別のデータを記憶するように構成される。これらのデータの例示は、装置８００で操作する如何なるアプリケーションプログラムまたは方法の指令、連絡人データ、電話帳データ、メッセージ、ピクチャ、映像などを含む。メモリ８０４は、如何なる種別の揮発性もしくは不揮発性記憶デバイスまたはそれらの組合せ、例えば、静的ランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクによって実現されてもよい。
【０１３７】
電源ユニット８０６は、装置８００のユニットのそれぞれに電力を供給する。電源ユニット８０６は、電源管理システム、１つまたは複数の電源、並びに、装置８００用の電力を生成、管理および配分するに関する他のユニットを含んでもよい。
【０１３８】
マルチメディアユニット８０８は、前記装置８００とユーザとの間に１つの出力インターフェースを供給するスクリーンを備える。一部の実施例では、スクリーンは、液晶ディスプレイ（ＬＣＤ）およびタッチパネル（ＴＰ）を含んでも良い。スクリーンは、タッチパネルを含む場合、ユーザからの入力信号を受信するように、タッチスクリーンとして実現されてもよい。タッチパネルは、タッチ、スライドおよびタッチパネルでのジェスチャーを感知するように、１つまたは複数のタッチセンサを含む。前記タッチセンサは、タッチまたはスライド動作の境界を感知するだけではなく、前記タッチまたはスライド操作と関連する持続時間および圧力をさらに検出することができる。一部の実施例では、マルチメディアユニット８０８は、１つのフロントカメラおよび／またはバックカメラを含む。装置８００が操作モード、例えば、撮像モードまたは映像モードにあるとき、フロントカメラおよび／またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【０１３９】
オーディオユニット８１０は、オーディオ信号を出力および／または入力するように構成される。例えば、オーディオユニット８１０は、マイク（ＭＩＣ）を備え、装置８００が操作モード、例えば、発呼モード、記録モードおよび音声識別モードにあるとき、マイクは、外部オーディオ信号を受信するように構成される。受信されたオーディオ信号は、さらに、メモリ８０４に記憶される、または、通信ユニット８１６を介して送信されることができる。一部の実施例では、オーディオユニット８１０は、さらに、オーディオ信号を出力するためのスピーカをさらに含む。
【０１４０】
Ｉ／Ｏインターフェース８１２は、処理ユニット８０２とペリフェラルインターフェースモジュールとの間でインターフェースを供給するものであり、前記ペリフェラルインターフェースモジュールは、キーボード、クリックホイール、ボタンなどであってもよい。これらのボタンは、ホームページボタン、ボリュームボタン、起動ボタンおよびロックボタンを含んでも良いが、それらに限定されない。当該Ｉ／Ｏインターフェース８１２は、さらに、Ｔｙｐｅ  Ｃインターフェースであっても良い。
【０１４１】
センサユニット８１４は、いろんな方面での状態推定を装置８００に供給するための１つまたは複数のセンサを含む。例えば、センサユニット８１４は、装置８００のオン／オフ状態、ユニットの相対位置を検出することができ、例えば、前記ユニットは、装置８００のディスプレイおよびキーパッドである。センサユニット８１４は、さらに、装置８００もしくは装置８００の１つのユニットの位置変更、ユーザと装置８００との接触の存在もしくは不存在、装置８００の方位または加速／減速および装置８００の温度変化をさらに検出することができる。センサユニット８１４は、如何なる物理的接触もないとき、近辺にある物体の存在を検出するための近接センサを含んでもよい。センサユニット８１４は、さらに、イメージングアプリケーションに使用される光センサ、例えばＣＭＯＳまたはＣＣＤ画像センサを含んでも良い。一部の実施例では、当該センサユニット８１４は、さらに、加速度センサ、ジャイロセンサ、磁気センサ、圧力センサまたは温度センサを含んでも良い。
【０１４２】
通信ユニット８１６は、装置８００と他の機器間の無線または有線方式の通信が便利になるように構成される。装置８００は、通信規格に基づく無線ネットワーク、例えば、ＷｉＦｉ、２Ｇもしくは３Ｇ、またはそれらの組合せにアクセスすることができる。ある実施例では、通信ユニット８１６は、外部ブロードキャスト管理システムからのブロードキャスト信号またはブロードキャスト関連情報をブロードキャストチャネルを介して受信する。ある実施例では、前記通信ユニット８１６は、さらに、短距離通信を容易にするように、ニアフィールド通信（ＮＦＣ）モジュールを含んでも良い。例えば、ＮＦＣモジュールでは、無線周波数識別（ＲＦＩＤ）技術、赤外データ協会（ＩｒＤＡ）技術、超広帯域（ＵＷＢ）技術、ブルートゥース（登録商標）（ＢＴ）技術および他の技術によって実現されてもよい。
【０１４３】
実施例では、装置８００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０１４４】
実施例では、指令を含む非一時的コンピュータ読み取り可能な記憶媒体、例えば、指令を含むメモリ８０４をさらに提供し、上記指令が装置８００のプロセッサ８２０によって実行されることで上述した方法を実施させることができる。例えば、前記非一時的コンピュータ読み取り可能な記憶媒体は、ＲＯＭ、ランダムアクセスメモリ（ＲＡＭ）、ＣＤ-ＲＯＭ、磁気テープ、フロッピーディスクおよび光データ記憶機器などであっても良い。
【０１４５】
非一時的コンピュータ読み取り可能な記憶媒体は、前記記録媒体における指令が装置８００のプロセッサーにより実行されると、装置８００が前記マスタ機器側またはスレーブ機器側の充電方法を実行するようにする。
【０１４６】
当業者は、明細書を考慮し、ここに公開された開示を実践した後、本開示の他の実施案を容易に想到する。本願は、本開示の如何なる変形、用途または適応的変化もカバーすることを意図する。これらの変形、用途または適応的変化は、本開示の一般的な仕組みに従い、かつ、本開示に開示されていない当分野における公知常識または慣用技術手段を含む。明細書および実施例は単なる例示と見なされ、本開示の本当の範囲および思想は添付の特許請求の範囲によって与えられる。
【０１４７】
本開示が以上で記載され、且つ図面に示された正確な構造に限定されるものでなく、その要旨を逸脱しない範囲で様々な補正や変更も可能であることは理解されるべきである。本開示の範囲は、添付する特許請求の範囲のみによって限定される。
【図１】
0006273404.tif 000002
【図２Ａ】
0006273404.tif 000003
【図２Ｂ】
0006273404.tif 000004
【図２Ｃ】
0006273404.tif 000005
【図３】
0006273404.tif 000006
【図４Ａ】
0006273404.tif 000007
【図４Ｂ】
0006273404.tif 000008
【図４Ｃ】
0006273404.tif 000009
【図４Ｄ】
0006273404.tif 000010
【図５】
0006273404.tif 000011
【図６】
0006273404.tif 000012
【図７】
0006273404.tif 000013
【図８】
0006273404.tif 000014